(57)【要約】【課題】  電池切れの非常時に、専用のデータ入力機を必要とせず即座に錠前を解錠でき、電池交換作業の簡便化を図る。【解決手段】  カードロックシステム１は、駆動源として電池６を内蔵し、錠前５ｂの施解錠時に予めカードに記憶された施解錠情報と登録情報とを照合して施解錠情報の正当性を判別し、施解錠情報を正常に認証したときのみ電池６からの電源供給により錠前５ｂを自動的に施解錠するカード式電気錠を採用している。電池付き非常電源供給用カード３は、電池６に電池切れが発生した非常時に錠前５ｂを解錠する際にカード式電気錠３のカード挿入口に挿入して装着され、錠前５ｂを解錠するための電源をカード式電気錠３に供給する。【選択図】    図２
2006265859.tif 000002
【特許請求の範囲】
【請求項１】
駆動源として電池を内蔵し、錠前の施解錠時に予めカードに記憶された施解錠情報と登録情報とを照合して前記施解錠情報の正当性を判別し、該施解錠情報を正常に認証したときのみ前記電池からの電源供給により前記錠前を自動的に施解錠するカード式電気錠を採用したカードロックシステムにおいて、
前記カード式電気錠のカード挿入口に着脱可能とされ、前記電池に電池切れが発生して前記カード挿入口に装着した時に前記錠前を解錠するための電源を前記カード式電気錠に供給する電池付き非常電源供給カードを備えたことを特徴とするカードロックシステム。
【発明の詳細な説明】
【技術分野】
【０００１】
本発明は、駆動源として電池を内蔵し、予めカードに記憶された例えば暗証番号などの特定の施解錠情報と登録情報とを照合して施解錠情報の正当性を判別し、施解錠情報を正常に認証したときのみ電池からの電源供給により錠前を自動的に施解錠する電池駆動式の電気錠を採用したカードロックシステムに関するものである。
【背景技術】
【０００２】
例えばホテルでは、客の宿泊時にチェックインからチェックアウトまでを１枚のカード（磁気カードやＩＣカード）で管理するカードロックシステムを採用している。
【０００３】
このカードロックシステムでは、予めカードに記憶された施解錠情報を読み取り、この読み取った施解錠情報と登録情報（錠前の施解錠を許可するために必要な各種情報）とを照合して施解錠情報の正当性を判別し、施解錠情報を正常に認証したときのみ錠前を自動的に施解錠するカード式電気錠が用いられる。さらにホテルのカードロックシステムを例にとって説明すると、客室入口において、各室のドアに配設されたエスカチオン（座金）にカード内の情報を読み取るためのカードリーダが装備されている。このカードリーダのカード挿入口に挿入されるカードには、例えばチェックイン／アウトの日時や客室番号などの情報がチェックイン時にホテル従業員によるカード発行制御器の操作によって書き込まれ、記憶されるようになっている。
【０００４】
そして、客がホテルに宿泊する場合には、客がフロントでチェックインの手続きを済ませると、上記カード発行制御器によって発行された１枚のカードがホテル従業員から客に手渡される。カードが手渡された客は、宿泊する部屋のドアに設置されたカードリーダのカード挿入口にカードを挿入すると、そのカード内の情報が読み込まれる。そして、読み込まれた情報が入室を許可して良い情報と判断されると、その部屋のドアの錠前が自動的に解錠制御され、ドアの開放が可能となる。これにより、カードを所持する客はその部屋に入室することができる。そして、宿泊客は、発行されたカードを用いることで、上述した構成からなるカード式電気錠の錠前の解錠の他、クレジットカードとの連携により、ホテル内の費用の決済のすべてが１枚のカードで可能となっている。なお、下記特許文献１には、上記のように各種情報が記憶されたカードを用いて入退室を管理するシステムが開示されている。
【特許文献１】特開平９−２９７８６５号公報
【発明の開示】
【発明が解決しようとする課題】
【０００５】
ところで、この種のカードロックシステムに用いられるカード式電気錠としては、駆動源として電池を内蔵し、予めカードに記憶された例えば暗証番号などの特定の施解錠情報と登録情報とを照合して施解錠情報の正当性を判別し、施解錠情報を正常に認証したときのみ電池からの電源供給によって錠前を自動的に施解錠制御するものも知られている。
【０００６】
従来、この種の電池駆動によるカード式電気錠を採用したカードロックシステムでは、電池切れが発生した際の一時的な錠前の施解錠制御に対処するため、図  に示すような専用のデータ入力機を用いていた。さらに説明すると、カード式電気錠に電池切れが発生すると、データ入力機を持ち出し、電池切れが発生したカード式電気錠に設けられた専用の非常電源供給用入力ポートにデータ入力機を専用ケーブルで接続する。次に、データ入力機から所定の施解錠操作（例えば暗証番号入力などの操作）を行う。そして、データ入力機から施解錠操作による特定の施解錠情報がカード式電気錠に入力されると、カード式電気錠では入力された特定の施解錠情報と登録情報とを照合して施解錠情報の正当性を判別し、施解錠情報を正常に認証したときのみデータ入力機からの電源供給によって錠前を自動的に施解錠する。
【０００７】
このように、電池駆動によるカード式電気錠では、電池切れが発生した場合、専用の入力ポートにデータ入力機を接続して一時的に錠前の施解錠に対応し、その間に電気錠内の電池交換を行っていた。
【０００８】
しかしながら、上述した電池駆動によるカード式電気錠を採用した従来のカードロックシステムでは、電池切れ時の錠前の施解錠に対処するため、例えばホテル従業員や保守員、サービスマンが専用端末であるデータ入力機の操作を事前に覚えておく必要があった。また、カード式電気錠には、データ入力機を接続するための非常電源供給用入力ポートが必要であった。さらに、カード式電気錠に電池切れが発生した際に、即座に錠前の施解錠に対処するためにはデータ入力機の持ち運びが必要不可欠であった。
【０００９】
そこで、本発明は上記問題点に鑑みてなされたものであり、内蔵された電池によって施解錠が制御される電気錠において電池切れが発生した非常時に、専用のデータ入力機を必要とせず即座に錠前を解錠でき、電池交換作業の簡便化が図れるカードロックシステムを提供することを目的とするものである。
【課題を解決するための手段】
【００１０】
上記した目的を達成するために、請求項１に記載されたカードロックシステムは、駆動源として電池を内蔵し、錠前の施解錠時に予めカードに記憶された施解錠情報と登録情報とを照合して前記施解錠情報の正当性を判別し、該施解錠情報を正常に認証したときのみ前記電池からの電源供給により前記錠前を自動的に施解錠するカード式電気錠を採用したカードロックシステムにおいて、
前記カード式電気錠のカード挿入口に着脱可能とされ、前記電池に電池切れが発生して前記カード挿入口に装着した時に前記錠前を解錠するための電源を前記カード式電気錠に供給する電池付き非常電源供給カードを備えたことを特徴とする。
【発明の効果】
【００１１】
本発明によれば、カード式電気錠に内蔵の電池に電池切れが発生した非常時に錠前の解錠を行う際、電池付きの非常電源供給カードをカード式電気錠のカード挿入口に装着すれば、錠前を解錠するための電源をカード式電気錠に供給することができる。これにより、従来のような面倒なデータ入力機による解錠操作が不要となる。そして、カード式電気錠にデータ入力機を接続するための専用の入力ポートも無くなり、電池交換作業の簡便化が図れる。
【発明を実施するための最良の形態】
【００１２】
以下、本発明の実施の形態について、添付した図面を参照しながら具体的に説明する。図１は本発明に係るカードロックシステムの概要図、図２は同カードロックシステムの機能ブロック図である。
【００１３】
本例のカードロックシステムは、例えばホテルに代表される各種施設に採用され、駆動源として電池を内蔵したカード式電気錠を用い、電池切れ発生時に錠前の施解錠を行う非常時に、電池付き非常電源供給カードをカード式電気錠に装着して電源供給を行うものである。
【００１４】
図１に示すように、本例のカードロックシステム１は、カード式電気錠２と電池付き非常電源供給カード３で概略構成される。
【００１５】
図１に示すように、カード式電気錠２は、各室のドアに配設されたエスカチオン（座金）に内蔵され、不図示のカード発行機などで事前に発行されたカードや電池付き非常電源供給カード３が挿入されるカード挿入口２ａを有している。さらに、このカード式電気錠２は、内部構成として、図２に示すように、カード式電気錠２は、施解錠制御部４、駆動機構５、駆動源としての電池６を備えて構成される。
【００１６】
図２に示すように、施解錠制御部４は、受信手段４ａ、記憶手段４ｂ、カード情報読取手段４ｃ、電気錠制御手段４ｄを備えている。
【００１７】
受信手段４ａは、カード式電気錠２のカード挿入口２ａに電池付き非常電源供給カード３が挿入されたときに、電池付き非常電源供給カード３の電源ポートから供給される電源を受信し、この受信した電源を施解錠制御部４の他の各部や駆動機構５の駆動源として供給している。
【００１８】
記憶手段４ｂは、例えば磁気的、光学的記憶媒体若しくはＲＯＭ、ＲＡＭなどの半導体メモリで構成される。記憶手段４ｂは、例えばカード式電気錠２を構成している各機器の機器情報、カード情報読取手段４ｃが読み取った施解錠情報が正当な情報であるか否かを判別するための認証用の登録情報、モニタ情報としての状態信号（扉の開閉状態信号や錠前５ｂの施解錠状態信号）などの施解錠制御に関する各種データを記憶している。また、記憶手段４ｂは、カード式電気錠２のカード挿入口２ａに挿入される電池付き非常電源供給カード３を特定して認証するための登録情報も記憶している。
【００１９】
カード情報読取手段４ｃは、例えば磁気カード、ＩＣカード、非接触ＩＣチップ内蔵カードなどの各種施解錠用のカードに記憶された各種情報（施解錠情報）を読み取るカードリーダで構成される。カード情報読取手段４ｃは、通常の施解錠時に、カード式電気錠２のカード挿入口２ａに挿入されたカードから施解錠情報を読み取り、この読み取った施解錠情報を電気錠制御手段４ｄに出力している。また、カード情報読取手段４ｃは、電池切れが発生した非常時に、カード挿入口２ａに装着された電池付き非常電源供給カード３のカード情報を読み取り、この読み取ったカード情報を電気錠制御手段４ｄに出力している。
【００２０】
電気錠制御手段４ｄは、例えばＣＰＵなどのマイクロコンピュータなどで構成される。電気錠制御手段４ｄは、通常時に、カード情報読取手段４ｃからのカードの施解錠情報と、記憶手段４ａに予め記憶された認証用の登録情報とを照合して施解錠情報の正当性を判別し、カードの施解錠情報を正常に認証されたときのみ駆動装置５ａに解錠信号（施錠信号）を出力して錠前５ｂを施解錠制御している。また、電気錠制御手段４ｄは、電池６又は電池付き非常電源供給カード３から駆動機構５への電源供給の制御、錠前５ｂからモニタ情報として入力される状態信号（例えば、扉の開閉状態信号、錠前５ｂの施解錠状態信号）の判別処理などを行っている。
【００２１】
駆動機構５は、例えばモータやソレノイドなどの駆動装置５ａと錠前５ｂで構成される。駆動機構５は、電気錠制御手段４ｄから入力される解錠信号（又は施錠信号）により錠前５ｂを解錠（又は施錠）するべく駆動し、扉枠の係止穴に対してデッドボルトを突出（施錠時）又は引き込む（解錠時）ことにより錠前５ｂを施解錠する。
【００２２】
電池６は、不図示のカード発行機によって事前に発行されたカードを用いて錠前５ｂの施解錠を行う通常時に、施解錠制御部４や駆動機構５の各部に必要な駆動電源を供給している。
【００２３】
図２に示すように、電池付き非常電源供給カード３は、非常電源供給カード７と電池ボックス８を備えて構成される。電池ボックス８には電池が着脱可能に収納されている。非常電源供給カード７は、通常時のカード式電気錠２の錠前５ｂの施解錠に使用されるカードと同等の大きさに形成され、予め自身を特定するカード情報が記憶されている。この非常電源供給カード７は、カード式電気錠２に電池切れが発生した非常時に錠前５ｂの施解錠を行うにあたってカード挿入口２ａに挿入して装着される。また、非常電源供給カード７は、カード挿入口２ａに装着された際に、カード式電気錠２に受信手段４ａを介して電源を供給するための電源ポートを有している。
【００２４】
これにより、非常電源供給カード７は、カード式電気錠２のカード挿入口２ａに装着された際、電池ボックス８に収納された電池からの電源が電源ポートから受信手段４ａを介してカード式電気錠２に供給するとともに、自身を特定するカード情報をカード式電気錠２に出力している。
【００２５】
次に、上記構成によるカードロックシステム１の動作について説明する。通常時は、カード式電気錠２に内蔵の電池６から施解錠制御部４や駆動機構５に電源が供給される。そして、錠前５ｂを施解錠する場合、予め不図示のカード発行機などで発行されたカードがカード挿入口２ａに挿入されると、このカードの施解錠情報をカード情報読取手段４ｃが読み取り、読み取った施解錠情報が電気錠制御手段４ｄに送られる。電気錠制御手段４ｄは、カード情報読取手段４ｃからのカードの施解錠情報と、錠前５ｂを施解錠するために必要な各種情報として予め記憶手段４ｂに記憶された登録情報とを照合して施解錠情報の正当性を判別し、カードの施解錠情報を正常に認証したときのみ駆動機構５の駆動装置５ａに解錠信号（又は施錠信号）を出力する。駆動装置５ａは、電気錠制御手段４ｄから解錠信号が入力されると、電池６からの電源供給により錠前５ｂを自動的に解錠（又は施錠）する。
【００２６】
このように、通常時はカード式電気錠２に内蔵の電池６から電源が供給され、不図示のカード発行機などで事前に発行されたカードの施解錠情報を正常に認証したときのみ電池６からの電源供給により錠前５ｂを施解錠している。これに対し、錠前５ｂを解錠するに際してカード式電気錠２に電池切れが発生した非常時には、電池付き非常電源供給カード３をカード式電気錠２のカード挿入口２ａに挿入して装着する。これにより、電池付き非常電源供給カード３の電池ボックス８の電池からカード式電気錠２の各部（施解錠制御部４、駆動機構５）に電源が供給される。カード式電気錠２では、電池付き非常電源供給カード３から電源が供給されている状態で、電池付き非常電源供給カード３からのカード情報をカード情報読取手段４ｂが読み取る。そして、電気錠制御手段４ｃは、カード情報読取手段４ｂが読み取ったカード情報と、記憶手段４ａに予め記憶された登録情報（電池付き非常電源供給カード３を特定する情報）と照合してカード情報の正当性を判別し、カード情報を正常に認証したときのみ駆動機構５の駆動装置５ａに解錠信号を出力する。駆動装置５ａは、電気錠制御手段４ｃから解錠信号が入力されると、電池付き非常電源カード３からの電源供給により錠前５ｂを自動的に解錠する。その後、電池切れが発生したカード式電気錠２に内蔵の電池６の交換を行う。
【００２７】
以上説明したように、本例のカードロックシステムでは、カード式電気錠に内蔵の電池に電池切れが発生した非常時の場合、カードに電池を持たせた電池付き非常電源供給カードを用いてカード式電気錠に電源を供給して錠前を自動解錠している。これにより、ホテル従業員や保守員、サービスマンが専用端末としてのデータ入力機の操作を覚える必要がなく、データ入力機による面倒な解錠操作も不要となる。
【００２８】
また、電池付き非常電源供給カードをカード式電気錠のカード挿入口に挿入するだけで非接触でカード式電気錠に電源を供給することができるので、カード式電気錠に従来のようなデータ入力機を接続するための非常電源供給用入力ポートが不要となる。
【００２９】
さらに、電池付き非常電源供給カードからカード式電気錠に電源供給が可能となるので、従来のようなデータ入力機を持ち運んでの解錠操作が不要となり、カード式電気錠の電池交換作業が簡便化できる。
【図面の簡単な説明】
【００３０】
【図１】本発明に係るカードロックシステムの概要図である。
【図２】本発明に係るカードロックシステムの機能ブロック図である。
【図３】従来のカードロックシステムの概要図である。
【符号の説明】
【００３１】
１  カードロックシステム
２  カード式電気錠
２ａ  カード挿入口
３  電池付き非常電源供給カード
４  施解錠制御部
４ａ  受信手段
４ｂ  記憶手段
４ｃ  カード情報読取手段
４ｄ  電気錠制御手段
５  駆動機構
５ａ  駆動装置
５ｂ  錠前
６  電池
７  電源供給カード
８  電池ボックス
【図１】
2006265859.tif 000003
【図２】
2006265859.tif 000004
【図３】
2006265859.tif 000005